(57)【特許請求の範囲】
【請求項１】
板状のメディアに対して、データの書き込み、およびデータの読み出しを行うメディア
ドライブと、
前記メディアドライブによるデータ書き込みの不良が発生している不良メディアを検出する不良メディア検出部と、
前記不良メディアからデータ読み出し不可の状態に前記不良メディアを処分するメディア処分機構と、
前記メディアを搬送するためのメディア搬送機構と、
前記メディアドライブ、前記メディア処分機構および前記メディア搬送機構を駆動制御する制御部と、を有し、
不良メディアが検出されたときは不良メディアを前記メディア処分機構として、前記メディアドライブまたは前記メディア搬送機構における可動部分の動きを利用してメディアを処分することを特徴とするメディア処理装置。
【請求項２】
メディアを排出するためのメディア排出口を有し、
前記メディア排出口からは、正常にデータが書き込まれた書込み済みメディアが発行されると共に、前記メディア処分機構によって処分された廃棄メディアを排出することを特徴とする請求項１に記載のメディア処理装置。
【請求項３】
メディアの表面に印刷を施すプリンタを有し、
前記プリンタは、データ書き込みが正常に行われたメディアに対して印刷を行うことを特徴とする請求項１または２に記載のメディア処理装置。
【請求項４】
それぞれメディアを収納する第１メディアスタッカ、第２メディアスタッカ及び廃棄用
メディアスタッカを有することを特徴とする請求項１〜３の何れか一項に記載のメディア処理装置。
【請求項５】
前記制御部は、
前記メディアドライブが前記第１メディアスタッカに収納されているメディアにデータの書き込みを行い、前記不良メディア検出部がデータ書き込み後のメディアが不良メディアであるか否かを判別し、前記メディア搬送機構が前記第２メディアスタッカにデータ書き込みが正常に行われた正常メディアを収納するとともに、前記不良メディアを前記メディア処分機構によって処分した後に前記第２メディアスタッカに収納するように制御することを特徴とする請求項４に記載のメディア処理装置。
【請求項６】
前記制御部は、前記メディアドライブが前記第１メディアスタッカに収納されているメデ
ィアにデータの書き込みを行い、前記不良メディア検出部がデータ書き込み後のメディアが不良メディアであるか否かを判別し、前記メディア搬送機構が前記第２メディアスタッカにデータ書き込みが正常に行われた正常メディアを収納するとともに、前記不良メディアを前記メディア処分機構によって処分した後に廃棄メディアとして前記メディア排出口から排出するように制御することを特徴とする請求項４または５に記載のメディア処理装置。
【請求項７】
前記制御部は、
前記メディア処分機構が前記第１および第２メディアスタッカの一方に収納されているメディアを処分し、前記メディア搬送機構が前記メディア排出口から処分後の廃棄メディアを排出するように制御することを特徴とする請求項４〜６の何れか一項に記載のメディア処理装置。
【請求項８】
前記制御部は、前記メディア処分機構が前記第１および第２メディアスタッカの一方に
収納されているメディアを処分し、前記メディア搬送機構が処分後の廃棄メディアを前記第１および第２メディアスタッカの他方に回収するように制御することを特徴とする請求項４〜７の何れか一項に記載のメディア処理装置。
【請求項９】
前記制御部は、前記メディアドライブが前記第１及び第２のメディアスタッカの一方に
収納されているメディアにデータを書き込み、前記不良メディア検出部が前記データ書き込み後のメディアが不良であるか否か判断し、前記メディア搬送機構が前記正常メディアを第１及び第２メディアスタッカの他方に収納するとともに、前記不良メディアを前記メディア処理機構によって処分された後に前記廃棄用メディアスタッカに収納するように制御することを特徴とする請求項４〜８の何れか一項に記載のメディア処理装置。
【請求項１０】
前記メディア処分機構は、メディアのデータ記録層を、光学的手段、化学的手段、機械
的手段、あるいは、これらの組み合わせ手段によって破壊する機構であることを特徴とする請求項１〜９の何れか一項に記載のメディア処理装置。
【請求項１１】
前記メディア処分機構は、メディアのデータ読み取り側の表面に印刷を施して読み取り不
可にする機構であることを特徴とする請求項３〜１０の何れか一項に記載のメディア処理装置。
【請求項１２】
前記メディア処分機構は、メディアのデータ読み取り側の表面を、化学的手段、機械的
手段、あるいは、これらの組み合わせ手段によって破壊する機構であることを特徴とする請求項１〜１１の何れか一項に記載のメディア処理装置。
【請求項１３】
前記メディア処分機構は、前記プリンタにおける可動部分の動きを利用して機械的にメ
ディアを処分することを特徴とする請求項３〜１０または１２の何れか一項に記載のメディア処理装置。
【請求項１４】
前記制御部は、前記メディアドライブによるメディア識別情報の書き込み動作、および
／または、前記プリンタによる前記メディア識別情報の印刷動作を行わせ、前記メディア処分機構によって処分されたメディアに付与されたメディア識別情報を記憶保持し、あるいは、外部に出力することを特徴とする請求項３〜９の何れか一項に記載のメディア処理装置。
【発明の詳細な説明】
【技術分野】
【０００１】
本発明は、ＣＤ／ＤＶＤパブリッシャ等の光ディスクパブリッシャ、光ディスクデュプリケータなどのメディア処理装置に関し、特に、機密データの書き込み、複製を行う場合におけるデータ漏洩の防止に適したメディア処理装置に関するものである。
【背景技術】
【０００２】
ＣＤ／ＤＶＤパブリッシャ等の光ディスクパブリッシャは、一般に、ブランクメディアスタッカに収納されているブランクＣＤなどを内蔵のＣＤドライブに供給して、ＣＤに所定のデータを書き込む。そして、しかる後に、内蔵のプリンタによってレーベルなどをＣＤ印刷表面に印刷して発行するように構成されている。例えば、特許文献１にはこのようなパブリッシャが開示されている。【０００３】
ここで、ＣＤ−Ｒなどを制作する場合などにおいて、ＣＤドライブによるＣＤ−Ｒへのデータ書き込み不良が発生した場合、あるいは、ＣＤ−Ｒ表面の印刷面上に行うレーベル印刷時にレーベル印刷位置がずれるなど印刷不良が発生した場合には、そのような不良ＣＤは廃棄処分される。書き込みデータが機密データなどの場合には、不良ＣＤはシュレッダ、クラッシャなどと呼ばれるＣＤ処分機によって、データの読み出しが不能な状態に処分された後に廃棄する必要がある。このようなＣＤ処分機としては、特許文献２ないし４などに記載されているように、各種のものが提案されている。
【特許文献１】米国特許第５，９１４，９１８号公報
【特許文献２】特開２００４−６２９６４号公報
【特許文献３】特開平１０−２１４４２４号公報
【特許文献４】特開２００２−３１６３２１号公報
【発明の開示】
【発明が解決しようとする課題】
【０００４】
従来においては、ＣＤパブリッシャで制作されたＣＤが不良品である場合には、操作者が不良ＣＤをシュレッダあるいはクラッシャに投入して廃棄しているのが一般的である。しかしながら、人手を介して不良ＣＤの廃棄処理を行うと、機密データの漏洩の危険性が高い。また、人手を介して不良ＣＤを廃棄する処理は効率が悪く、廃棄すべきＣＤを間違えてしまう危険性もある。さらには、多数枚のＣＤを複製する場合などにおいては、廃棄処分としたＣＤの枚数などを正確に管理することができず、データ漏洩の危険性が高いとう問題点がある。【０００５】
本発明の課題は、このような点に鑑みて、人手を介在させることなく、効率良く、不良ＣＤなどのメディアを廃棄することのできる光ディスクパブリッシャなどのメディア処理装置を提案することにある。
【課題を解決するための手段】
【０００６】
（１）  板状のメディアに対して、データの書き込み、およびデータの読み出しを行うメディアドライブと、
前記メディアドライブによるデータ書き込みの不良が発生している不良メディアを検出
する不良メディア検出部と、
前記不良メディアからデータ読み出し不可の状態に前記不良メディアを処分するメディ
ア処分機構と、
前記メディアを搬送するためのメディア搬送機構と、
前記メディアドライブ、前記メディア処分機構および前記メディア搬送機構を駆動制御
する制御部と、を有し、
不良メディアが検出されたときは不良メディアを前記メディア処分機構として、前記メディアドライブまたは前記メディア搬送機構における可動部分の動きを利用してメディアを処分することを特徴とするメディア処理装置。
（２）  メディアを排出するためのメディア排出口を有し、
前記メディア排出口からは、正常にデータが書き込まれた書込み済みメディアが発行さ
れると共に、前記メディア処分機構によって処分された廃棄メディアを排出することを特
徴とする請求項１に記載のメディア処理装置。
（３）  メディアの表面に印刷を施すプリンタを有し、
前記プリンタは、データ書き込みが正常に行われたメディアに対して印刷を行うことを
特徴とする請求項１または２に記載のメディア処理装置。
（４）  それぞれメディアを収納する第１メディアスタッカ、第２メディアスタッカ及び廃棄用メディアスタッカを有することを特徴とする請求項１〜３の何れか一項に記載のメディア処理装置。
（５）  前記制御部は、
前記メディアドライブが前記第１メディアスタッカに収納されているメディアにデータの
書き込みを行い、前記不良メディア検出部がデータ書き込み後のメディアが不良メディア
であるか否かを判別し、前記メディア搬送機構が前記第２メディアスタッカにデータ書き
込みが正常に行われた正常メディアを収納するとともに、前記不良メディアを前記メディ
ア処分機構によって処分した後に前記第２メディアスタッカに収納するように制御するこ
とを特徴とする請求項４に記載のメディア処理装置。
（６）  前記制御部は、前記メディアドライブが前記第１メディアスタッカに収納されているメディアにデータの書き込みを行い、前記不良メディア検出部がデータ書き込み後のメディアが不良メディアであるか否かを判別し、前記メディア搬送機構が前記第２メディアスタッカにデータ書き込みが正常に行われた正常メディアを収納するとともに、前記不良メディアを前記メディア処分機構によって処分した後に廃棄メディアとして前記メディア排出口から排出するように制御することを特徴とする請求項４または５に記載のメディア処理装置。
（７）  前記制御部は、
前記メディア処分機構が前記第１および第２メディアスタッカの一方に収納されているメ
ディアを処分し、前記メディア搬送機構が前記メディア排出口から処分後の廃棄メディア
を排出するように制御することを特徴とする請求項４〜６の何れか一項に記載のメディア
処理装置。
（８）  前記制御部は、前記メディア処分機構が前記第１および第２メディアスタッカの一方に収納されているメディアを処分し、前記メディア搬送機構が処分後の廃棄メディアを前記第１および第２メディアスタッカの他方に回収するように制御することを特徴とする請求項４〜７の何れか一項に記載のメディア処理装置。
（９）  前記制御部は、前記メディアドライブが前記第１及び第２のメディアスタッカの一方に収納されているメディアにデータを書き込み、前記不良メディア検出部が前記データ書き込み後のメディアが不良であるか否か判断し、前記メディア搬送機構が前記正常メディアを第１及び第２メディアスタッカの他方に収納するとともに、前記不良メディアを前記メディア処理機構によって処分された後に前記廃棄用メディアスタッカに収納するように制御することを特徴とする請求項４〜８の何れか一項に記載のメディア処理装置。
（１０）  前記メディア処分機構は、メディアのデータ記録層を、光学的手段、化学的手段、機械的手段、あるいは、これらの組み合わせ手段によって破壊する機構であることを特徴とする請求項１〜９の何れか一項に記載のメディア処理装置。
（１１）  前記メディア処分機構は、メディアのデータ読み取り側の表面に印刷を施して読み取り不可にする機構であることを特徴とする請求項３〜１０の何れか一項に記載のメディア処理装置。
（１２）  前記メディア処分機構は、メディアのデータ読み取り側の表面を、化学的手段、機械的手段、あるいは、これらの組み合わせ手段によって破壊する機構であることを特徴とする請求項１〜１１の何れか一項に記載のメディア処理装置。
（１３）  前記メディア処分機構は、前記プリンタにおける可動部分の動きを利用して機械的にメディアを処分することを特徴とする請求項３〜１０または１２の何れか一項に記載のメディア処理装置。
（１４）  前記制御部は、前記メディアドライブによるメディア識別情報の書き込み動作、および／または、前記プリンタによる前記メディア識別情報の印刷動作を行わせ、前記メディア処分機構によって処分されたメディアに付与されたメディア識別情報を記憶保持し、あるいは、外部に出力することを特徴とする請求項３〜９の何れか一項に記載のメディア処理装置。
【０００７】
具体的には、本発明のメディア処理装置は、ＣＤ、ＤＶＤなどの板状のメディアに対して、データの書き込み、およびデータの読み出しを行うメディアドライブと、データ書き込み不良などが発生している不良メディアを検出する不良メディア検出部と、前記不良メディアを、データ読み出しが不可の状態に処分するメディア処分機構と、メディアを搬送するためのメディア搬送機構と、前記メディアドライブ、前記メディア処分機構および前記メディア搬送機構を駆動制御する制御部とを有し、不良メディアが検出されたときは不良メディアを前記メディア処分機構によって処分することを特徴としている。【０００８】
本発明のメディア処理装置にはメディア処分機構が内蔵されているので、データ書き込み不良などが発生した場合には、そのような不良メディアは外部に取り出されることなく、装置内部でデータ読み取り不能な状態となるように処分され、処分後の廃棄メディアが排出される。よって、機密データなどが書き込まれたＣＤなどのメディアを複数枚制作する場合に、不良メディアが外部に流れ出て機密データが漏洩してしまうということがない。また、操作者が不良メディアをシュレッダやクラッシャなどに投入して廃棄する必要がないので、不良メディアの廃棄処理を効率良く行うことができる。【０００９】
また、本発明では、上記構成に加えて、メディアを排出するためのメディア排出口を有し、前記メディア排出口からは、正常にデータが書き込まれた書込み済みメディアが発行されると共に、前記メディア処分機構によって処分された廃棄メディアを排出することを特徴としている。【００１０】
一般的には、メディア処理装置は、ブランクメディアなどが収納される第１メディアスタッカと、作成済みのメディアなどが収納される第２メディアスタッカと、処理済みの廃棄メディアが収納される廃棄用メディアスタッカと、を有している。【００１１】
この場合、本発明では、前記制御部は、次の第１ないし第５処理モードのうち、少なくとも一つの処理を実行可能であることを特徴としている。
前記第１処理モード：前記メディアドライブは、前記第１メディアスタッカに収納されているメディアにデータの書き込みを行い、前記不良メディア検出部は、データ書き込み後のメディアが不良メディアであるか否かを判別し、前記第２メディアスタッカに、データ書き込みが正常に行われた正常メディアが収納され、前記不良メディアは前記メディア処分機構によって処分された後に、前記第２メディアスタッカに収納される
前記第２処理モード：前記メディアドライブは、前記第１メディアスタッカに収納されているメディアにデータの書き込みを行い、前記不良メディア検出部は、データ書き込み後のメディアが不良メディアであるか否かを判別し、前記第２メディアスタッカに、データ書き込みが正常に行われた正常メディアが収納され、前記不良メディアは前記メディア処分機構によって処分された後に、廃棄メディアとして前記メディア排出口から排出される
前記第３処理モード：前記メディア処分機構は、前記第１および第２メディアスタッカの一方に収納されているメディアを処分し、前記メディア排出口から処分後の廃棄メディアが排出される
前記第４処理モード：前記メディア処分機構は、前記第１および第２メディアスタッカの一方に収納されているメディアを処分し、処分後の廃棄メディアが前記第１および第２メディアスタッカの他方に回収される
前記第５処理モード：前記メディアドライブは、前記第１及び第２のメディアスタッカの一方に収納されているメディアにデータを書き込み、前記不良メディア検出部は、前記データ書き込み後のメディアが不良であるか否か判断し、前記正常メディアは、第１及び第２メディアスタッカの他方に収納され、前記不良メディアは、前記メディア処理機構によって処分された後に、前記廃棄用メディアスタッカに収納される【００１２】
第３、第４処理モードでは、メディア処理装置が従来におけるクラッシャあるいはシュレッダと同様に機能し、多数枚の不良メディアを一括して廃棄処理することができる。【００１３】
次に、本発明のメディア処理装置は、メディア表面にレーベル印刷などを行うためのプリンタを備えた構成とすることができる。プリンタを備えることにより、データの書き込みと同時にデータ内容を表すレーベル印刷を一つのメディア処理装置で実現することができる。【００１４】
この場合、プリンタは、データ書き込みが正常に行われたメディアに対して印刷を行うように構成することにより、不良メディアに印刷を行うといった無駄を省くことができる。【００１５】
ここで、前記メディア処分機構としては、メディアのデータ記録層を、光学的手段、化学的手段、機械的手段、あるいは、これらの組み合わせ手段によって破壊する機構を採用することができる。【００１６】
また、前記メディア処分機構として、メディアのデータ読み取り側の表面を、化学的手段、機械的手段、あるいは、これらの組み合わせ手段によって破壊する機構を採用することができる。【００１７】
光学的手段としては、例えば、データ記録面を破壊可能な強度のレーザ光を照射するヘッドを用いることができる。また、メディアドライブのレーザ光を用いることもできる。化学的手段としては、特殊インクをメディア表面に塗布して、そのデータ記録面を溶解させるなどの方法を挙げることができる。また、ヒートローラなどをメディア表面に押し付けて、データ記録面の保護層を不透明化させる方法、あるいは、データ記録面を熱変形、あるいは溶融させる方法もある。機械的手段としては、メディアのデータ記録面に傷、穴などを付ける方法を採用できる。【００１８】
また、メディアのデータ読み取り側の表面に印刷を施して、読み取り不可にする機構を採用することもできる。【００１９】
さらに、このようなメディア処分機構として、前記メディアドライブ、前記メディア搬送機構あるいは前記プリンタにおける可動部分の動きを利用してメディアを処分可能な構成を採用することができる。例えば、メディアドライブにおけるメディアトレイの出し入れ時に、そこに搭載されているメディアに突起を押し付けるようにした機械的手段を用いることができる。また、プリンタを備えている場合には、プリンタのヘッドキャリッジに突起、ヒートロールなどを搭載しておく機構を用いることができる。さらには、メディア搬送機構に突起などを取り付けておくこともできる。このようにすると、メディア処分機構を小型でコンパクトに構成できるので、装置の小型・コンパクト化、および低コスト化に有利である。【００２０】
次に、廃棄処分としてメディアを管理するためには、前記制御部は、前記メディアドライブによるメディア識別情報の書き込み動作、および／または、前記プリンタによる前記メディア識別情報の印刷動作を行わせ、前記メディア処分機構によって処分されたメディアに付与されたメディア識別情報を記憶保持し、あるいは、外部に出力することが望ましい。
【発明の効果】
【００２１】
以上説明したように、本発明のメディア処理装置は、データが書き込まれたメディア、あるいはデータ書き込み及びレーベル印刷などが施されたメディアの制作機能と、不良メディアを廃棄処理するためのメディア処分機能とが内蔵されている。したがって、人手を介在させることなく、機密データなどが書き込まれた不良メディアを廃棄処分とすることができる。よって、廃棄対象の不良メディアが外部に持ち出されることに起因するデータ漏洩を確実に防止できる。また、メディア制作工程の中で不良メディアの廃棄処分が行われるので、従来のように人手を介して不良メディアを処分していた場合に比べて、効率良く不良メディアの処分を行うことができる。【００２２】
また、メディア処分機構として、メディアドライブ、プリンタなどにおける可動部分を利用して処分動作を行うものを採用した場合には、メディア処分機構を小型・コンパクト化でき、また、専用の駆動源が不要となるので、装置全体の小型・コンパクト化、および低コスト化に有利である。【００２３】
さらに、処分された不良メディアを、そのメディア識別情報によって管理できるようにすれば、メディア制作時における廃棄メディア枚数などを確実に管理できるので便利である。
【発明を実施するための最良の形態】
【００２４】
以下に、図面を参照して、本発明を適用したメディア処理装置を用いたデータ管理システムの実施形態を説明する。【００２５】
（データ管理システム）
図１は本実施形態のデータ管理システムを示す概略構成図であり、例えば、企業内のＬＡＮに適用したものである。【００２６】
本実施形態の光ディスクパブリッシャ５は、ＣＤあるいはＤＶＤ等の光ディスクからデータを読みとれないように処分するための光ディスククラッシャーの機能を備えている。また、光ディスクパブリッシャ５には、書き込み済みのＣＤあるいはＤＶＤ（メディア）を保管する保管装置６を接続しておくことも可能である。本実施形態では、この保管装置６が光ディスクパブリッシャ５に内蔵されたものを想定して説明を行う。【００２７】
クライアントＰＣ３は、基本的には一般的に用いられているＰＣ(パーソナルコンピュータ)と同一構成であり、キーボードやマウス等の入力装置３Ａおよびディスプレイ等の表示装置３Ｂと接続されて構成されている。本実施形態では、クライアントＰＣ３は、作成データなどを記憶保持するハードディスクドライブ等の大容量記憶媒体を備えておらず、また光ディスク、磁気ディスク等にデータを書き込む書き込みドライブ及びプリンタにデータを出力するプリンタドライバなどのデータ出力機能も備わっていない。したがって、データは表示装置３Ｂには出力可能であるが、それ以外の手段によってクライアントＰＣ３から社内ＬＡＮ２の外部に出力できないように構成されている。【００２８】
各クライアントＰＣ３で作成されたデータは、社内ＬＡＮ２を介して管理サーバ４に供給され、管理サーバ４によって一元管理されるようになっている。また、各クライアントＰＣ３からのログインは、予めユーザ（社員）に付与されているユーザＩＤおよびパスワード、あるいは、ユーザＩＤおよび生体認証情報などに基づき許可されるようになっている。【００２９】
管理サーバ４は、社内ＬＡＮ２を介して各クライアントＰＣ３を管理するサーバである。管理サーバ４は、各クライアントＰＣ３で作成されたデータを記憶するハードディスクドライブ等の記憶装置を備えている。各クライアントＰＣ３で作成されたデータは、社内ＬＡＮ２を介して管理サーバ４に供給されてハードディスクドライブに記憶され、管理サーバ４によって一元管理されるようになっている。また、管理サーバ４は、各クライアントＰＣ３からのログイン時、予めユーザ（社員）に付与されているユーザＩＤおよびパスワード、あるいは、ユーザＩＤおよび生体認証情報の入力等に基づきログインを許可する。【００３０】
また、管理サーバ４内のハードディスクには一元管理されているデータベースＤＢが設けられている。管理サーバ４内には各クライアントＰＣ３で作成されたデータがアクセス制限付きの状態で保管される。管理サーバ４は、クライアントＰＣ３からログインしたユーザＩＤ毎にアクセスレベルを設定しており、アクセスレベルに応じてデータの読み出し、書き換え等を許可する。【００３１】
また、管理サーバ４は、クライアントＰＣ３から管理サーバ４内のデータベースＤＢに記録されたデータを社内ＬＡＮ２の外部へ光ディスクパブリッシャ５を介して出力するように指示するデータ出力要求を受け付けると、データ出力の許可権限のある上司（ハードウェア的には、上司が操作するクライアントＰＣ３）による承認（パスワードの発行）を待って、要求データが書き込まれた光ディスク（以下、光ディスクとしてはＣＤを例に挙げ、ＣＤ８として説明する）の製作を許可する。また、管理サーバ４は、ＣＤ８が発行されたり処分されたりするとデータベースＤＢにＣＤ発行・処分履歴情報を記録する。ＣＤ発行・処分履歴情報には、発行されるＣＤのＩＤ、そこに書き込まれているデータを特定するための情報、発行年月日、発行を要求したユーザＩＤ、処分年月日などが含まれている。【００３２】
光ディスクパブリッシャ５は、図２に示すように、ＣＤあるいはＤＶＤにデータを書き込むための書き込みドライブ、ＣＤのレーベル面に画像を印刷するための印刷機構（たとえば、後述するレーベル印刷機構５５）等を備えている。また、生体認証装置、ＩＤカードリーダ、入力用のテンキー等から構成される個人認証部を備えており、特定のユーザに対してのみＣＤ８を発行するように構成されている。この光ディスクパブリッシャ５は、ディスクチェンジャなどの機構を介して光ディスク保管装置６に接続されており、管理サーバ４のデータベースＤＢに保管されているデータの一部を、ＣＤ８に書き込み、光ディスク保管装置６において保管することが可能となっている。【００３３】
（光ディスクパブリッシャ）
図２は光ディスクパブリッシャ５の概略構成図である。
光ディスクパブリッシャ５は、社内ＬＡＮ２に接続されている制御部１１を備えている。この制御部１１は、光ディスクパブリッシャ５内の後述する各部間の動作制御を行う中央制御部であり、制御部１１の制御の下にＣＤ８の発行動作が行われる。具体的には、光ディスクパブリッシャ５には、データ書き込み処理が行われていない複数枚のブランクＣＤ１４をスタック可能な供給側スタッカ１３と、ブランクＣＤ１４へのデータ書き込みを行うメディアドライブ１５と、ＣＤのレーベル面に画像を記録するレーベルプリンタと１９と、ＣＤをデータ読み取り不能に処理するメディア処分機構２３と、記録済みのＣＤをスタックする保管側スタッカ２２と、読み取り不能に処理されたＣＤを一時的にスタックする廃棄用スタッカ２７と、ＣＤを搬送するメディア搬送機構１２と、を備えており、これらは制御部１１の制御の下に動作する。【００３４】
具体的に光ディスクパブリッシャ５の動作を説明すると、あるクライアントＰＣ３から社内ＬＡＮ２を介してＣＤ制作要求を受信すると、メディア搬送機構１２によって供給側スタッカ１３にスタックされているブランクＣＤ１４が取り出され、メディアドライブ１５にセットされる。そして、メディアドライブ１５は、社内ＬＡＮ２を介して供給されるデータをブランクＣＤ１４に書き込む。書き込まれるデータには、当該ＣＤ１４の識別情報も含まれる。【００３５】
データが書き込まれた後の書き込み済みＣＤ１６は、制御部１１の制御の下で、メディアドライブ１５によってデータ書き込みが正常に行われたか否かが検査され、正常書き込みＣＤ１７と不良ＣＤ１８とに区別される。本例では、制御部１１およびメディアドライブ１５によって不良メディア検出部が構成されている。この後は、ＣＤ１７あるいは１８は、メディア搬送機構１２によってメディアドライブ１５から取り出されて、インクジェット式のレーベルプリンタ１９に供給される。【００３６】
正常書き込みＣＤ１７は、レーベルプリンタ１９によって、そのレーベル面に所定のレーベル模様などと共にＣＤ識別情報が印刷される。印刷後のＣＤ２０は、メディア搬送機構１２によって、レーベルプリンタ１９から取り出されて、保管側スタッカ２２に一時的にスタックされる。スタックされるＣＤ２０の識別情報と、当該ＣＤ２０の制作を要求したユーザのＩＤとが対応付けした形態で、管理サーバ４のデータベースＤＢに保持される。【００３７】
これに対して、不良ＣＤ１８は、レーベルプリンタ１９に付設されているＣＤ処分機構２３によって、そのデータ記録面が破壊され、読み取り不能な状態となるように処分される。処分後の廃棄ＣＤ２４は、廃棄メディア用スタック２７にスタックされる。なお、廃棄ＣＤ２４は、メディア搬送機構１２によってメディア排出口２５に搬送され、ここから外部に排出されるように構成されていてもよい。【００３８】
不良ＣＤ１８を処分する際には、当該ＣＤ１８のＣＤ識別情報が社内ＬＡＮ２を経由して管理サーバ４に供給され、処分対象のＣＤの照合が行われる。管理サーバ４から処分の許可が下りると、ＣＤ１８が処分される。このとき、光ディスクパブリッシャ５は、ＣＤ１８の処分履歴情報（ＣＤ識別情報、処分年月日など）を管理サーバ４に送信する。これにより、処分履歴情報が管理サーバ４に保持される。【００３９】
また、光ディスクパブリッシャ５は、また、生体認証装置、ＩＤカードリーダ、入力用のテンキー等から構成される個人認証部２６を備えている。データが書き込まれたＣＤ２０を光ディスクパブリッシャ５のメディア排出口２５から取り出すためには、ユーザは、個人認証部２６に設けられたテンキーやカードリーダ、生体認証装置等を介して予め付与されているユーザＩＤおよびパスワード、あるいは、ユーザＩＤおよび生体認証情報などを入力する。個人認証部２６によって認証が為されると、当該ユーザＩＤに対応付けされているＣＤ識別情報が検索され、メディア搬送機構１２によって、対応するＣＤ２０を保管側スタッカ２２から取り出して、メディア排出口２５に搬送してＣＤ２０を出力する。これによりユーザにＣＤが発行される。このとき、光ディスクパブリッシャ５は、ＣＤの発行履歴情報を管理サーバ４に送信する。これにより、発光履歴情報が管理サーバ４に保持される。【００４０】
（光ディスクパブリッシャの具体的構成例）
図３は光ディスクパブリッシャ５の外観斜視図である。
光ディスクパブリッシャ５は、ほぼ直方体形状の筐体３１を備えている。この筐体３１の前面には、左右に開閉可能な開閉扉３２、３３が取り付けられている。開閉扉３２、３３の下側右端部には、表示ランプ、操作ボタンなどが配列された操作面３４が形成されており、当該操作面３４の隣には、メディア排出口２５が開いている。【００４１】
図４は、開閉扉３２、３３を開いた状態での光ディスクパブリッシャ５の斜視図である。
左側の開閉扉３２は閉じ状態にロックされており、操作面３４に個人認証部２６の生体認証用の読み取り部、例えば指紋センサなどを配置しておき、予め登録されている者のみが開閉できるようになっている。あるいは、管理サーバ４の側からの指令によって開閉可能となっている。これに対して、右側の開閉扉３３はレーベルプリンタ１９のインクカートリッジの交換時に開閉するためのものであり、当該開閉扉３３を開けると、カートリッジ装着部３６が露出するようになっている。本例では上下二段のカートリッジ装着部３６が形成されている。【００４２】
図５は、開閉扉３２、３３および筐体３１の一部を取り外した状態での光ディスクパブリッシャ５の斜視図である。
図４および図５を参照して説明すると、光ディスクパブリッシャ５の筐体３１の内部には、その左側の部位において、供給側スタッカ１３および保管側スタッカ２２が同軸状態で上下に配置されている。供給側スタッカ１３は、前方に水平に引き出し可能なスライド板４１と、このスライド板４１の上に垂直に配置されている左右一対の円弧状の枠板４２、４３とを備えており、これらにより、ＣＤを上側から受け入れ、同軸状態に積層した状態で収納可能なスタッカが構成されている。供給側スタッカ１３にＣＤを収納あるいは補充する作業は、開閉扉３２を開け、スライド板４１を手前に引き出すことにより、簡単に行うことが可能となっている。【００４３】
下側の保管側スタッカ２２も同一構造となっており、前方に水平に引き出し可能なスライド板４４と、この上面に垂直に配置されている左右一対の円弧状の枠板４５、４６とを備えており、これらによって、ＣＤを上側から受け入れ、同軸状態で積層した状態で収納可能なスタッカが構成されている。【００４４】
これらの供給側スタッカ１３および保管側スタッカ２２の後側には、メディア搬送機構１２が配置されている。メディア搬送機構１２は、筐体３１に垂直に取り付けられているシャーシ５１と、このシャーシ５１の上下の水平支持板部分５２、５３の間に垂直に架け渡されている垂直ガイド軸５４と、この垂直ガイド軸５４に取り付けたメディアキャリア５５とを備えている。メディアキャリア５５は、垂直ガイド軸５４に沿って昇降可能であるとともに、当該垂直ガイド軸５４を中心に左右に旋回可能である。【００４５】
上下のスタッカ１３、２２およびメディア搬送機構１２の側方の部位には、上側にメディアドライブ１５が配置され、下側にレーベルプリンタ１９が配置されている。メディアドライブ１５は、ＣＤへのデータ書き込み位置とＣＤの受け取り受け渡しを行うメディア受け渡し位置との間を移動可能なメディアトレイ７１を有している。また、レーベルプリンタ１９は、ＣＤのレーベル面へのレーベル印刷可能な位置とＣＤの受け取り受け渡しを行うメディア受け渡し位置との間を移動可能なメディアトレイ８１を有している。【００４６】
図４、５では、上側のメディアドライブ１５のメディアトレイ７１が手前に引き出されたメディア受け渡し位置７１Ａにある状態、および、下側のレーベルプリンタ１９のメディアトレイ８１が手前側のメディア受け渡し位置８１Ａにある状態が示されている。また、レーベルプリンタ１９はインクジェットプリンタであり、インク供給源として各色のインクカートリッジ８２が用いられており、これらのインクカートリッジ８２がカートリッジ装着部３６に前方から装着されている。【００４７】
ここで、供給側スタッカ１３および保管側スタッカ２２の左右一対の枠板４２、４３の間、４５、４６の間には、メディア搬送機構１２のメディアキャリア５５が昇降可能な隙間が形成されている。また、これら上下のスタッカ１３、１４の間には、メディアキャリア５５が水平に旋回して、スタッカ１４の真上に位置できるように、隙間が開いている。さらに、上側のメディアトレイ７１をメディアドライブ１５に押し込むと、メディア搬送機構１２のメディアキャリア５５を下降させて、メディア受け渡し位置にあるメディアトレイ８１にアクセス可能となっている。したがって、メディアキャリア５５の昇降および左右への旋回の組み合わせ動作によって、ＣＤを各部分に搬送することが可能である。【００４８】
また、図６は、図４のＶＩ―ＶＩ線に沿って切った光ディスクパブリッシャ５の模式的断面図である。
図６に示すように、メディアトレイ８１の下方には、廃棄用のＣＤを保管するための廃棄用スタッカ２７が配置されている。この廃棄用スタッカ２７には、例えば３０枚程度の廃棄用ＣＤを保管可能である。メディアトレイ８１が廃棄用スタッカ２７の上方のメディア受け渡し位置８１Ａからデータ書き込み位置へ退避した状態で、メディア搬送機構１２により廃棄用のＣＤを廃棄用スタッカ２７に供給可能となっている。【００４９】
まとめると、ＣＤは、供給側スタッカ１３、保管側スタッカ２２、廃棄用スタッカ２７、メディアドライブ１５のメディアトレイ７１及びレーベルプリンタ１９のメディアトレイ８１間をメディア搬送機構１２を介して搬送される。【００５０】
（メディア搬送機構）
図７はメディア搬送機構１２のみを示す斜視図である。
先に述べたように、メディア搬送機構１２は、筐体３１に対して垂直に取り付けられているシャーシ５１を備え、このシャーシ５１の上下の水平支持板部分５２、５３の間に、垂直ガイド軸５４が取り付けられ、この垂直ガイド軸５４にメディアキャリア５５が昇降および旋回可能な状態で支持されている。【００５１】
メディアキャリア５５の昇降機構は、駆動源であるモータ５６を備えており、このモータ５６の回転が、モータ出力軸に取り付けたピニオン５７、複合伝達歯車５８、および伝達歯車５９を備えた減速歯車列を介して、駆動側プーリ６１に伝達されるようになっている。駆動側プーリ６１は、シャーシ５１の上端近傍位置において、水平な回転軸（図示せず）を中心として回転自在の状態に支持されている。シャーシ５１の下端近傍位置には、同じく水平な回転軸６２を中心として回転自在の状態で従動側プーリ６３が支持されており、これら駆動側プーリ６１および従動側プーリ６３の間にタイミングベルト６４が架け渡されている。このタイミングベルト６４の左右のベルト部分の一方に、メディアキャリア５５の後端部分が固定されている。したがって、モータ５６を駆動すると、タイミングベルト６４が上下方向に移動し、そこに取り付けられているメディアキャリア５５が垂直ガイド軸５４に沿って昇降する。【００５２】
次に、メディアキャリア５５の旋回機構は、駆動源であるモータ６５を備えており、このモータ６５の出力軸にはピニオン（図示せず）が取り付けられて、このピニオンの回転が、２枚の複合伝達歯車６６、６７を備えた減速歯車列を介して、扇形の最終段歯車６９に伝達されるようになっている。扇形の最終段歯車６９は、垂直ガイド軸５４を中心として左右に旋回可能である。また、当該最終段歯車６９には、メディアキャリア５５の昇降機構の構成部品が組み付けられているシャーシ５１が搭載されている。モータ６５を駆動すると、扇形の最終段歯車６９が左右の旋回し、ここに搭載されているシャーシ５１が一体となって垂直ガイド軸５４を中心として左右に旋回する。この結果、シャーシ５１に搭載されている昇降機構によって保持されているメディアキャリア５５が垂直ガイド軸５４を中心として左右に旋回する。【００５３】
なお、メディアキャリア５５は、その先端側の部位の中心に、例えば、３本の把持爪を備え、それらの一つが半径方向に移動可能となっている。これらの把持爪をＣＤのセンターホールに差し込み、一本の爪を半径方向の外方に移動させることにより、ＣＤを把持できる。この把持状態において、一本の爪を半径方向の内方に移動させることにより、ＣＤを開放して把持爪から落下させることができる。メディアキャリア５５にはこのような把持機構が搭載されている。このような把持機構は、後述のプリンタ１５におけるメディアトレイ８１に組み込まれている把持機構と同様である。【００５４】
（レーベルプリンタ）
図８はレーベルプリンタ１９のみを示す斜視図であり、図９はそのメディアトレイ８１を示す平面図である。
レーベルプリンタ１５はシャーシ８３を備え、このシャーシ８３における後側の左右の側板部分の間にはキャリッジガイド軸８４が水平に架け渡されており、ここに沿って、インクジェットヘッド（図示せず）が搭載されたヘッドキャリッジ８５が左右方向に往復移動可能である。キャリッジ駆動機構は、左右方向に水平に架け渡したタイミングベルト８６と、これを駆動するためのキャリッジモータ８７とを備えている。【００５５】
ヘッドキャリッジ８５に搭載されているインクジェットヘッドは、そのノズル面が下向きとされており、当該インクジェットヘッドの下側位置を、前後方向に水平にメディアトレイ８１が往復移動可能となっている。メディアトレイ８１は、その右側の端が、前後方向に水平に延びるガイド軸８８によって支持され、その左側の端が、スライド可能な状態で、前後方向に水平に延びるガイドレール８９によって支持されている。このメディアトレイ８１の駆動機構も、前後方向に水平に架け渡したタイミングベルト９０と、これを駆動するためのトレイモータ９１を備えた構成となっている。【００５６】
メディアトレイ８１は、矩形の板の上面に、ＣＤを載せるための円形の浅い凹部８１ａを備えている。また、当該凹部８１ａの中心部には、同一円上において６０度間隔に配置された３本の垂直爪９２〜９４を備えている。２本の垂直爪９２、９３は半径方向に一体となって移動可能であり、残りの１本の垂直爪９４は、固定位置に配置されている。電磁ソレノイドなどの不図示駆動機構によって２本の垂直爪９２、９３が移動するようになっている。【００５７】
ＣＤを、そのレーベルなどの印刷面を上向きにして、上から凹部８１ａに落とすと、図９に示すように、ＣＤのセンターホールに３本の垂直爪９２〜９４が差し込まれた状態になる。この後に、垂直爪９２、９３を半径方向の外方に僅かに移動すると、これら３本の垂直爪９２〜９４がＣＤのセンターホールの内周面に内側から押し付けられた状態になる。これにより、ＣＤがメディアトレイ８１に保持される。この状態で、トレイモータ９１を駆動して、メディアトレイ８１をガイド軸８８に沿って後ろ側に移動させ、インクジェットヘッドの印字領域内まで移動させることができる。この後は、インクジェットヘッドによって、ＣＤの印刷面に所定の印刷を施すことができる。【００５８】
（メディア処分機構）
ここで、プリンタシャーシ８３における前板部分９５には、左右一対の垂直突起９６、９７を備えたメディア処分機構２３が取り付けられている。これらの垂直突起９６、９７はプランジャなどの駆動機構によって、下方に突出可能となっている。これらの突起９６、９７を下方に突出させた状態のままで、メディアトレイ８１を後側あるいは前側に移動すると、そこに載っているＣＤに突起９６、９７の先端が当たった状態で、当該ＣＤが移動する。この結果、ＣＤの記録面が機械的に破壊され、読み出しが不能な状態になる。【００５９】
なお、メディアメディアドライブ１５のメディアトレイ７１の出し入れ動作を利用して、ＣＤの記録面を機械的に破壊してもよい。また、ヘッドキャリッジ８４の動きを利用して、ＣＤの記録面を機械的に破壊してもよい。さらには、メディア搬送機構１２のメディアキャリア５５の動きを利用してＣＤの記録面を機械的に破壊することも可能である。【００６０】
また、ＣＤを読み出し不能な廃棄ＣＤにするためのメディア処分機構２３としては、ＣＤの記録面を機械的に破壊する機構の他、当該記録面を化学的に破壊する機構、光学的に破壊する機構を用いることができる。化学的に破壊する機構としては、ＣＤに特殊インクを塗布あるいは吹付けて、その記録面を溶解、酸化させるもの、ヒートローラなどを用いてＣＤ記録面を溶融あるいは熱変形させるものがある。また、光学的な機構としては、メディアドライブの光学ヘッドを用いて、高出力レーザをＣＤ記録面に照射して当該記録面を破壊する機構などを挙げることができる。勿論、ＣＤ−ＲＷなどの場合には、記録面を破壊せずに、書き込まれている全データを消去してもよい。さらに、ＣＤ−Ｒなどの場合には意味のないデータを上書きするなどで、データを読み取り不能にしてもよい。【００６１】
さらには、データ書き込み側の面を上に向けて、ＣＤをメディアトレイ８１に載せ、プリンタ１９を用いて当該ＣＤのデータ書き込み面に印刷を施して、データの読み取りを不能にすることもできる。【００６２】
（動作モード）
上記では、簡単にＣＤの書き込み、不良メディア検出、処分について説明したが、具体的にまとめると、制御部１１は、以下に示す５つのモードを実現可能に構成されている。【００６３】
＜第１処理モード＞
本モードは、ＣＤにデータを書き込み、正常に書き込めた場合には内部に保持し、正常に書き込めなかった場合には処分して内部に保持するものである。
具体的には、供給側スタッカ１３に収納されているＣＤ１４をメディアドライブ１５に供給し、データの書き込みを実行させる。その後メディアドライブ１５は、データ書き込み後のＣＤが不良ＣＤであるか否かを判別する。判別の結果、データ書き込みが正常に行われていれば、保管側スタックにＣＤを収納する。一方、不良ＣＤはメディア処分機構２３によってデータ読み取り不可に処分された後に、保管側スタッカ２２に収納する。なお、書き込みの正否確認の後、レーベルプリンタ１９が正常にデータ書き込みが行われたＣＤの表面にレーベルなどを印刷するようにしてもよい。【００６４】
＜第２処理モード＞
本モードは、ＣＤにデータを書き込み、正常に書き込めた場合には内部に保持し、正常に書き込めなかった場合には処分して不良ＣＤを排出するものである。
具体的には、供給側スタッカ１３に収納されているＣＤ１４をメディアドライブ１５に供給し、データの書き込みを実行させる。その後メディアドライブ１５は、データ書き込み後のＣＤが不良ＣＤであるか否かを判別する。判別の結果、データ書き込みが正常に行われていれば、保管側スタッカ２２にＣＤを収納する。一方、不良ＣＤはメディア処分機構２３によってデータ読み取り不可に処分された後に、廃棄ＣＤとしてメディア排出口２５から不良ＣＤを排出する。なお、書き込みの正否確認の後、レーベルプリンタ１９が正常にデータ書き込みが行われたＣＤの表面にレーベルなどを印刷するようにしてもよい。【００６５】
＜第３処理モード＞
本モードは、内部に保持している不良ＣＤを処分して排出するモードである。
具体的には、メディア処分機構２３によって保管側スタッカ２３に収納されている不良ＣＤをデータ読み取り不可に処分し、メディア排出口２５から処分後の不良ＣＤを排出する。【００６６】
＜第４処理モード＞
本モードは、内部に保持している不良ＣＤを処分して内部に保持するモードである。
具体的には、メディア処分機構２３によって供給側スタッカ１３及び保管側スタッカ２３の一方に収納されている不良ＣＤをデータ読み取り不可に処分し、処分後の不良ＣＤを供給側スタッカ１３及び保管側スタッカ２３の他方に収納する。なお、廃棄用スタッカ２７に処分後の不良ＣＤを収納するようにしてもよい。【００６７】
＜第５処理モード＞
本モードは、廃棄用スタッカ２７を積極的に利用するモードである。
具体的には、供給側スタッカ１３に収納されているＣＤ１４をメディアドライブ１５に供給し、データの書き込みを実行させる。その後メディアドライブ１５は、データ書き込み後のＣＤが不良ＣＤであるか否かを判別する。判別の結果、データ書き込みが正常に行われていれば、保管側スタッカ２２にＣＤを収納する。一方、不良ＣＤはメディア処分機構２３によってデータ読み取り不可に処分された後に、廃棄用スタッカ２７に収納する。なお、書き込みの正否確認の後、レーベルプリンタ１９が正常にデータ書き込みが行われたＣＤの表面にレーベルなどを印刷するようにしてもよい。
廃棄用スタッカ２７を利用することにより、保管側スタッカ２２に正常ＣＤと不良ＣＤが混ざることがなくなる。また、廃棄用スタッカ２７の不良ＣＤをとりのぞくだけで、不要なＣＤを容易に除去することができる。
（ＣＤ発行動作）
次に、本実施形態のデータ管理システム１におけるＣＤ発行動作（データを社内ＬＡＮ（ネットワーク）２の外部に出力する動作）の一例を述べる。本実施形態の動作は、社員Ａが機密情報が含まれているプレゼンテーション用の資料を作成してＣＤ−Ｒに書き込み、取引先のＢ社に一週間の期限付きで貸し出す場合を例に挙げて説明する。【００６８】
図１０は、本実施形態のデータ管理システム１におけるデータ管理フローを説明するための模式図である。
まず、社内ＬＡＮ２上のクライアントＰＣ３に、社員Ａが自己のＩＤでログインする（ステップＳ１）。そして、資料作成用のアプリケーションソフトを起動し、表示装置３Ｂの画面上において資料を作成する（ステップＳ２）。資料作成後は、管理サーバ４に作成資料をアップロードして（ステップＳ３）、そのデータベースＤＢに格納する（ステップＳ４）。【００６９】
次に、社員Ａは、クライアントＰＣにおいて、光ディスクパブリッシャ用のアプリケーションソフトを起動し、社外配布用に決められたレーベル印刷用のテンプレートと、書き込みデータである作成資料とを指定して、ＣＤ製作指示ボタンをクリックする。ＣＤ製作指示ボタンをクリックすると、管理番号が自動的に付与され、作成日時、社員ＡのＩＤ、資料名、相手会社名、貸し出し期限などの管理情報が、管理サーバ４のデータベースＤＢに送信されて記録される（ステップＳ５）。【００７０】
次に、社員Ａは、作成した資料をＢ社にＣＤ−Ｒに書き込んで貸し出してよいか否かを上司に確認する。例えば、ログインしているクライアントＰＣ３において確認用アプリケーションソフトを起動し、作成した資料、相手会社名、貸し出し期限などの情報と共に、承認依頼要求を例えば社内ＬＡＮ２に上司（管理者）がログインしている別のクライアントＰＣに送信する（ステップＳ６）。上司が別のクライアントＰＣにおいて承認依頼要求を受け取ると、その内容を画面上において確認し（ステップＳ７）、問題がない場合は承認する。承認が行われると、承認情報が社員ＡのクライアントＰＣに送信される（ステップＳ８）とともに、光ディスクパブリッシャ５に作成資料データが送られる（ステップＳ９）。【００７１】
光ディスクパブリッシャ５は、作成資料データを受信すると、前述のように動作して、ＣＤ−Ｒに作成資料データを書き込む。また、そのレーベル面に、タイトル、管理番号、作成日時、会社ロゴ、「CONFIDENTIAL」などの情報を印刷する（ステップＳ１０）。また、ここでは管理番号、作成日時、社員ＡのＩＤ、および作成資料データ名が、ＣＤ発行履歴情報として、光ディスクパブリッシャ５に記録される。なお、光ディスクパブリッシャ５は、発行されるＣＤに公知の方法によりコピーガード、暗号化などのセキュリティ技術を施すことにより、データの複製、データアクセスが許可されたユーザ以外のデータ閲覧などを未然に防止するようにしてもよい。【００７２】
社員Ａは、クライアントＰＣ３から離れて、製作されたＣＤ−Ｒを取り出すために、光ディスクパブリッシャ５の場所に行く。そして、自己のＩＤ等の認証情報を入力して（ステップＳ１１）、その個人認証部による認証を受けると、製作されたＣＤ―Ｒは光ディスクパブリッシャ５のメディア取り出し口５８から取り出し可能となり、ＣＤ発行が完了する（ステップＳ１２）。その後、ＣＤ発行履歴情報が管理サーバ４に送られデータベースＤＢに記録される（ステップＳ１３）。社員Ａは、このようにして発行されたＣＤ−Ｒを一週間の期限付きで、Ｂ社に貸し出す。【００７３】
ここで、光ディスクパブリッシャ５におけるＣＤ−Ｒの制作動作を詳細に説明する。光ディスクパブリッシャ５の供給側スタッカ１３には、ブランクＣＤ−Ｒ１４が収納されている。管理サーバ４の側から駆動指令を受信すると、メディア搬送機構１２のメディアキャリア５５が最も上端の位置まで上昇して、供給側スタッカ１３の真上まで旋回し、次に下降して、一枚のブランクＣＤ−Ｒ１４を把持する。この後は、メディアキャリア５５は上昇後に旋回して、引き出された状態のメディアトレイ７１の真上に移動し、しかる後に下降して、当該メディアトレイ７１にブランクＣＤ−Ｒ１４を渡す。ブランクＣＤ−Ｒ１４を受け取ったメディアトレイ７１はメディアメディアドライブ１５に引き込まれて、データの書き込み動作が行われる。【００７４】
データ書き込み後は、データ書き込みが正常に行われたか否かを判別するために、書き込みデータの読み取り動作を行う。書き込みが正常および不良のいずれも場合も、メディアトレイ７１から正常ＣＤ−Ｒ１７あるいは不良ＣＤ−Ｒ１８をメディア搬送機構１２のメディアキャリア５５に引渡し、当該メディアキャリア５５を、旋回、下降、旋回させて、下側のメディアトレイ８１の真上に移動させる。そして、ＣＤ−Ｒ１７あるいは１８を、メディアトレイ８１に引き渡す。【００７５】
正常ＣＤ−Ｒ１７の場合には、メディアトレイ８１が後側に移動して、インクジェットヘッドによってその印刷面に上記のように所定の印刷が施される。印刷後のＣＤ−Ｒ２０は、メディア搬送機構１２のメディアキャリア５５によって、保管側スタッカ２２の真上に搬送され、当該スタッカ２２に保管される。保管されているＣＤ−Ｒ２０の取り出しが、上記のように社員Ａによって要求されると、メディア搬送機構１２のメディアキャリア５５によって、要求されたＣＤ−Ｒ２０が保管側スタッカ２２から取り出されて、メディア排出口２５から発行される。【００７６】
これに対して、不良ＣＤ−Ｒ１８の場合には、メディアトレイ８１が後側に移動する際に、メディア処分機構２３の垂直爪９６、９７が下方に突出した状態に保持される。この結果、後側に移動する間に、これらの垂直爪９６、９７によって不良ＣＤ−Ｒ１８の記録面に傷がつけられる。また、後側に移動したメディアトレイ８１が再び前側の位置まで前進する際にも垂直爪９６、９７によって記録面に傷が付けられる。この結果、不良ＣＤ−Ｒ１８の記録面が機械的に破壊され、読み取り不能な状態に処分される。このように記録面が破壊された不良ＣＤ−Ｒ１８は廃棄ＣＤ−Ｒ２４としてメディア排出口２５から排出される。【００７７】
ここで、不良ＣＤ−Ｒが処分される毎に、処分終了を表す信号が管理サーバ４に送信される。管理サーバ４では、処分された管理番号のＣＤ−Ｒが処分されたことを表す処分履歴情報を記録する。【００７８】
なお、メディアの良否を、レーベルプリンタ１９による印刷後においても判別するようにしてもよい。この場合には、印刷面を画像認識手段などによって観察して、印刷位置がずれていないかなどに基づき、良否を判別すればよい。【００７９】
また、印刷を行わない場合には、レーベルプリンタ１９による印刷動作を省略して、メディアメディアドライブ１５によるデータ書き込み後に、直ちに、保管側スタッカ２２に正常メディアを保管すればよい。【００８０】
（その他の実施の形態）
上記の例では、光ディスクパブリッシャ５の供給側スタッカ１３にブランクメディアを収納し、保管側スタッカ２２に制作後のメディアを保管するようにしているが、光ディスクパブリッシャ５を、不良メディアを処分するための処分機として利用することも可能である。【００８１】
この場合には、例えば、供給側スタッカ１３に不良メディアを収納し、ここから一枚ずつ不良メディアを取り出して、メディア処分機構２３によって処分し、処分後の廃棄メディアを保管側スタッカ２２に収納すればよい。そして、供給側スタッカ１３の不良メディアの処分が全て終了した後に、開閉扉３２を開けて、廃棄メディアを保管側スタッカ２２から取り出せばよい。勿論、処分する毎に、メディア排出口２５から排出させるようにしてもよい。【００８２】
一方、上記のシステム例では、説明および理解を容易にするために、光ディスクパブリッシャを介してデータを外部に出力できる構成とされている。勿論、他のネットワークに接続された構成とすることも可能であり、また、インターネットなどを介してメールによりデータを外部に出力できるようにしてもよい。このような場合には、各データの機密レベルなどに応じて、既存のセキュリティ対策を施せばよい。【００８３】
また、上記の例では、ネットワーク上の全データを管理サーバ４において一元管理している。この代わりに、一部のデータのみを管理サーバ４によって一元管理するようにしてもよい。【００８４】
さらに、管理サーバ４の管理データをＣＤ、ＤＶＤなどに書き込み、ＣＤ保管装置６において保管する場合においても、全データの検索を、管理サーバ４にアクセスすることにより行うことができるように、文書管理ソフトウエアを構築しておくことが望ましい。【００８５】
一方、ネットワークに複数台の光ディスクパブリッシャを接続し、例えば、機密レベルなどに応じて、各光ディスクパブリッシャにより発行可能なデータを区別してもよい。【００８６】
また、外部記録媒体としては、ＣＤ、ＤＶＤなどの光ディスク、光磁気ディスクの他に、半導体メモリ、磁気記録媒体などの他の形式の媒体を用いることができる。また、外部記録媒体書き込み装置も、単一の形式の外部記録媒体の書き込みおよび発行動作を行うものを用いることができることは勿論のこと、異なる形式の外部記録媒体の書き込み、および発行動作を行う機能を備えたものを用いることも可能である。
【図面の簡単な説明】
【００８７】
【図１】本発明を適用したデータ管理システムの概略構成図である。
【図２】図１の光ディスクパブリッシャの概略構成図である。
【図３】図１の光ディスクパブリッシャの一例を示す外観斜視図である。
【図４】図３の光ディスクパブリッシャにおける開閉扉が開いた状態での斜視図である。
【図５】図３の光ディスクパブリッシャの内部構造を示すための斜視図である。
【図６】図４のＶＩ−ＶＩ線に沿った模式的断面図である。
【図７】図３の光ディスクパブリッシャのメディア搬送機構を示す斜視図である。
【図８】図３の光ディスクパブリッシャのプリンタを示す斜視図である。
【図９】図８のプリンタのメディアトレイを示す平面図である。
【図１０】データ管理システムにおけるデータ管理フローを説明するための模式図である。
【符号の説明】
【００８８】
１  データ管理システム、２  社内ＬＡＮ、３  クライアントＰＣ、４  管理サーバ、５光ディスクパブリッシャ、６  ＣＤ保管装置、１１  制御部、１２  メディア搬送機構、１３  供給側スタッカ、１４  ブランクメディア、１５  メディアドライブ、１６、１７、１８、２０  メディア、１９  プリンタ、２０  メディア、２２  保管側スタッカ、２３  メディア処分機構、２４  廃棄メディア、２５  メディア排出口、３１  筐体、３２、３３  開閉扉、３４  操作面、３６  カートリッジ装着部 
【図１】
0004702363.tif 000002
【図２】
0004702363.tif 000003
【図３】
0004702363.tif 000004
【図４】
0004702363.tif 000005
【図５】
0004702363.tif 000006
【図６】
0004702363.tif 000007
【図７】
0004702363.tif 000008
【図８】
0004702363.tif 000009
【図９】
0004702363.tif 000010
【図１０】
0004702363.tif 000011